(57)【特許請求の範囲】
【請求項１】
認識対象の移動体を進行させるために設定された複数の経路の近傍にそれぞれ設けられた複数のアンテナを含む交信処理装置と、前記複数の経路の近傍にそれぞれ固定配置された複数の固定ＲＦＩＤタグと、前記移動体に関連する情報が書き込まれて当該移動体と共に移動する移動ＲＦＩＤタグと、前記交信処理装置の動作を制御すると共に交信処理装置が移動ＲＦＩＤタグとの交信により得た読取情報を交信処理装置から取得し、この読取情報として前記移動ＲＦＩＤタグからの応答信号による情報を取得したとき、その読取情報を含む応答信号を受信したアンテナに対応する経路に前記移動体が位置すると認識する制御装置とを有するＲＦＩＤシステムであって、
前記固定ＲＦＩＤタグおよび移動ＲＦＩＤタグは、同一のアンテナからの読出コマンドを受信した全てのＲＦＩＤタグがタイミングを揃えて応答するように、受信した読出コマンドに対して一定のタイミングで応答し、
前記固定ＲＦＩＤタグは、対応する経路のアンテナと交信すべき場所に移動ＲＦＩＤタグが存在する場合にはその移動ＲＦＩＤタグからの応答信号に埋もれて復号不能なレベルであって、前記移動ＲＦＩＤタグが対応する経路のアンテナと交信すべき場所に存在しない場合には当該アンテナからの読出コマンドを受けた他のＲＦＩＤタグからの応答信号を埋もれさせて自己の応答内容のみが復号されるレベルの信号により、前記対応する経路のアンテナからの読出コマンドに応答し、
前記移動ＲＦＩＤタグは、移動中の経路のアンテナと交信すべき場所を通過する間に当該アンテナから受けた読出コマンドに対し、移動中の経路の固定ＲＦＩＤタグからの当該読出コマンドに対する応答信号を埋もれさせて自己の応答内容のみが復号されるレベルの信号により応答し、
前記制御装置は、各経路のアンテナを順に制御対象として、前記読出コマンドを送信させて当該コマンドに対するＲＦＩＤタグからの応答信号を受信させる制御を、読出コマンドを送信したアンテナから応答信号による読取情報を取得したことに応じて次のアンテナに制御の対象を切り替えながら繰り返す交信制御手段と、所定の経路のアンテナから前記移動ＲＦＩＤタグからの応答信号による読取情報を取得したとき、その読取情報が当該読取情報を含む応答信号を受信したアンテナが配備される経路に整合するか否かを判別する判別手段と、前記判別手段による判別結果を出力する出力手段とを具備する、
ことを特徴とするＲＦＩＤシステム。
【請求項２】
前記移動ＲＦＩＤタグは、移動中の経路のアンテナと交信すべき場所を通過する間に当該アンテナから受けた読出コマンドに対し、交信すべき場所の外に位置する他の移動ＲＦＩＤタグからの当該読出コマンドに対する応答信号を埋もれさせてその信号の復号を不能にすることが可能なレベルの信号により応答する、請求項１に記載されたＲＦＩＤシステム。
【請求項３】
前記移動ＲＦＩＤタグおよび固定ＲＦＩＤタグの少なくとも一方は、前記アンテナからのコマンドに対して応答する際の電波の反射強度を、当該反射強度の変更を求めるコマンドをアンテナから受信したことに応じて変更する機能を具備する、請求項１に記載されたＲＦＩＤシステム。
【発明の詳細な説明】
【技術分野】
【０００１】
本発明は、移動する物体（以下、「移動体」という。）を、その移動途中に認識するためのＲＦＩＤ（Radio Frequency Identification）システムに関する。
【背景技術】
【０００２】
ＲＦＩＤシステムは、ＲＦＩＤタグ（以下、単に「タグ」という場合がある。）とリーダライタとの間で電波を介した交信を行うものである。特に、パッシブタイプやセミパッシブタイプのＲＦＩＤタグを用いたシステムは、リーダライタからの電波によりＲＦＩＤタグを起動して交信を行わせることができることから利便性が高く、様々な目的に使用されている。
【０００３】
たとえば、工場では、管理対象の物品の１つ１つにＲＦＩＤタグを取り付けて、コンベアにより搬送すると共に、コンベアの近傍位置にリーダライタのアンテナを設置し、物品の移動に伴ってアンテナの交信領域にＲＦＩＤタグが入る都度、そのＲＦＩＤタグとアンテナとの間で交信を行って、情報の読み書き処理を実施する（特許文献１を参照。）。
【０００４】
また、入退出を管理する目的で、出入口への通路にリーダライタのアンテナを設置し、通路を進行する移動体（人または物品）に取り付けられたＲＦＩＤタグをアンテナからのコマンドに反応させるようにしたシステムも知られている。
【０００５】
たとえば、特許文献２には、近接した複数のゲートを通過するＲＦＩＤタグから識別情報を取得するシステムにおいて、ゲート毎に設置されたアンテナから読出信号を送信し、読出信号を受信した全てのＲＦＩＤタグからの応答信号によりＩＤ情報を取得し、それらの中から不要なＲＦＩＤタグからのＩＤ情報を除外するフィルタリング処理を実施することが記載されている。
【０００６】
また、特許文献３には、人が通過する複数のゲートにそれぞれ質問器（リーダライタ）と固定タグとを設置し、各ゲートの質問器において、ゲートを通る人が所持する移動タグおよび固定タグを単位時間あたりに複数回同時期に読み出し、各タグとの通信の可否や通信成功率によって各ゲートにおける移動タグの有無を判別することが記載されている。さらに、特許文献３には、固定タグとの通信が困難で移動タグが存在しないという判別がなされた場合に、タグを所持しない人物により固定タグへの電波が遮断されたと認識することや、固定タグおよび移動タグにそれぞれ異なるタイムスロットを割り当てることによって、質問器からのコマンドに対してタグの種毎にタイミングをずらして応答させることが記載されている。
【先行技術文献】
【特許文献】
【０００７】
【特許文献１】特開２０１０−３９８５８号公報
【特許文献２】特開２００９−２７６９３９号公報
【特許文献３】特開２００６−７２６７２号公報
【発明の概要】
【発明が解決しようとする課題】
【０００８】
本発明の発明者らは、フォークリフトなどの車両の入退出を管理する目的でＲＦＩＤシステムを開発するにあたり、図１３に示すようなシステムを構成し、その有用性を検証した。このシステムでは、近接して並設された複数の経路Ｒ１〜Ｒｎの一側にリーダライタのアンテナＡ１〜Ａｎをそれぞれ配備し、フォークリフトＢにＲＦＩＤタグｔを取り付ける。ＲＦＩＤタグｔには、たとえばフォークリフトＢにより搬入される貨物に関する情報が予め書き込まれている。
【０００９】
各アンテナＡ１〜Ａｎは読出コマンドを順に送信すると共に、所定の待ち時間が経過するまでタグｔからの応答信号の受信に待機する。待ち時間以内に応答信号を受信した場合には、その応答信号に含まれる情報を読み取って分析し、搬入の是非をチェックする。
【００１０】
ところが、上記の方法によると、図１４に示すように、実際にフォークリフトＢが入った経路（この例では経路Ｒ２）とは異なる経路（この例では経路Ｒ３）のアンテナＡ３からの電波に経路Ｒ２のＲＦＩＤタグｔが反応し、その結果、誤った情報の読取が行われて、認識結果に誤りが生じることが判明した。
【００１１】
特許文献２に記載された発明では、ゲートの周辺に存在するタグからの信号が受信されることを考慮して、毎回の読取信号の送信に対して応答可能な全てのタグからの応答信号を受信して、各ＩＤ情報を取得し、同一のＩＤ情報毎に応答信号の強度の時系列変化を求めて、この変化の波形に基づきゲートを正しく通過したタグからの応答信号を判別するようにしている。しかし、このような方法では、処理が複雑になり、処理に要する時間も長くなるので、高速の処理が要求される用途には不向きである。
【００１２】
特許文献３に記載された発明では、質問器からのコマンドに対し、移動タグおよび固定タグをそれぞれ異なるタイミングで応答させ、移動タグとは交信できたが固定タグとは交信できなかった場合には移動体は当該アンテナと同じ通路に位置し、移動タグおよび固定タグの双方と交信できた場合には移動体は当該アンテナとは異なる通路に位置すると判断する。これにより、各通路の移動タグを精度良く検出することが可能になる。
しかし、特許文献３に記載された発明では、移動タグからの応答を受け付ける時間と固定タグからの応答を受け付ける時間とが個別に設定される上に、各タグとの交信状況を分析する時間をとる必要があり、特許文献２と同様に、処理が複雑で時間がかかる。よって特許文献３に記載された発明も、高速の処理が要求される用途には適していない。
【００１３】
また、特許文献３に記載された発明では、アンテナと固定タグとの間に移動体が入ることによって電波が遮蔽されることを前提としているが、電波を通過させる特性を持つ物体が移動体となる場合もある。またアンテナからの電波が反射するなどして、予期しない方向にまでアンテナからの電波が伝搬し、その結果、コマンドを送信したアンテナに交信対象外のタグからの応答信号が届く場合もある。これらの問題に対する対策について、特許文献３には何も記載されていない。
【００１４】
本発明は上記の問題点に着目し、簡易な構成と簡単な処理とにより、移動体を認識するために必要なＲＦＩＤタグのみとの交信を可能にすると共に、処理時間を短縮することを課題とする。
【課題を解決するための手段】
【００１５】
本発明は、認識対象の移動体が進行する経路の近傍に設けられたアンテナを含む交信処理装置と、移動体に関連する情報が書き込まれて当該移動体と共に移動する移動ＲＦＩＤタグ（以下「移動タグ」と略す。）と、交信処理装置の動作を制御すると共に交信処理装置が移動タグとの交信により得た読取情報を交信処理装置から取得し、この読取情報を用いて移動体に関する認識処理を行う制御装置とを有するＲＦＩＤシステムに適用される。
【００１６】
上記のＲＦＩＤシステムにおいて、交信処理装置は、たとえば、アンテナとこのアンテナの動作を制御する交信制御部とを有するリーダライタにより構成される。また、この発明の交信処理装置には、複数の経路の近傍にそれぞれ設けられた複数のアンテナが含まれる。
【００１７】
本発明によるＲＦＩＤシステムには、複数の経路の近傍にそれぞれ固定配備される複数の固定ＲＦＩＤタグ（以下「固定タグ」と略す。）がさらに含まれる。この固定タグは、対応する経路のアンテナと交信すべき場所に移動タグが存在する場合にはその移動タグからの応答信号に埋もれて復号不能なレベルであって、前記移動タグが対応する経路のアンテナと交信すべき場所に存在しない場合には当該アンテナからの読出コマンドを受けた他のＲＦＩＤタグからの応答信号を埋もれさせて自己の応答内容のみが復号されるレベルの信号により、前記対応する経路のアンテナからの読出コマンドに応答する。
【００１８】
さらに、本発明の移動タグおよび固定タグは、同一のアンテナからの読出コマンドを受信した全てのＲＦＩＤタグがタイミングを揃えて応答するように、受信した読出コマンドに対して一定のタイミングで応答する。また移動タグは、移動中の経路のアンテナと交信すべき場所を通過する間に当該アンテナから受けた読出コマンドに対し、移動中の経路の固定タグからの当該読出コマンドに対する応答信号を埋もれさせて自己の応答内容のみが復号されるレベルの信号により応答する。
【００１９】
上記のシステムによれば、アンテナからの読出コマンドが移動タグおよび固定タグの双方に届いた場合には、各ＲＦＩＤタグは、その種別によらず、一定のタイミングで応答する。よって、これらのタグからの応答信号はアンテナにほぼ同時に届くが、移動タグがアンテナと交信すべき場所に位置している場合には、固定タグから受信した応答信号は移動タグから受信した応答信号に埋もれて読取が不可能な状態になり、移動タグからの応答信号による情報が読み取られる。一方、移動タグがアンテナと交信すべきでない場所に位置している場合には、移動タグから受信した応答信号は固定タグからの応答信号に埋もれて読取が不可能な状態となり、固定タグからの応答信号による情報が読み取られる。
【００２０】
よって、移動体の移動に伴ってアンテナと交信すべき場所に入った移動タグの情報を確実に読み取ることができる。また、アンテナと交信すべきでない場所にある移動タグに読出コマンドが届いて、その移動タグがコマンドに応答しても、当該移動タグからの応答信号はアンテナに対応する経路の固定タグからの応答信号に埋もれて復号不能になるので、アンテナと交信すべきでない場所に位置する移動タグの情報が読み取られるのを防ぐことができる。
【００２１】
アンテナからのコマンドに対し複数の移動タグが応答した場合でも、そのうちの１つのみがアンテナと交信すべき場所に位置するのであれば、その移動タグからの応答信号にその他の交信すべき場所の外に位置する他の移動タグからの応答信号を埋もれさせて、交信すべき場所に位置する移動タグのみから情報を読み取ることができる。
【００２３】
本発明によれば、いずれの経路においても、その経路に設けられた固定タグによって、他の経路の移動タグから受信する信号が読み取られることがなくなり、対応する経路内でアンテナと交信すべき場所に位置する移動タグの情報を安定して読み取ることが可能になる。このように、移動タグの情報を、その移動タグが入った経路のアンテナのみで確実に読み取ることができるので、移動体の位置を誤りなく認識することが可能になる。
【００２４】
本発明による制御装置は、各経路のアンテナを順に制御対象として、読出コマンドを送信させて当該コマンドに対するＲＦＩＤタグからの応答信号を受信させる制御を、読出コマンドを送信したアンテナが応答信号を受信したことに応じて次のアンテナに制御の対象を切り替えながら繰り返す交信制御手段を備える。本発明によれば、移動タグが存在しない経路のアンテナも、対応する固定タグからの応答信号を読出コマンドの送信後に速やかに受信することができるので、各アンテナによる受信処理が一巡するのに必要な時間を大幅に短縮することができる。
【００２５】
上記の制御装置は、所定の経路のアンテナから移動タグの応答情報による読取情報を取得したとき、その読取情報が当該読取情報を含む応答信号を受信したアンテナが配備される経路に整合するか否かを判別する判別手段と、この判別手段による判別結果を出力する出力手段とを、さらに具備する。このような構成によれば、たとえば、移動体の進路の成否を、ランプやブザーなどにより報知することができる。また、移動タグに書き込まれている経路とは異なる経路に移動体が進入した場合には、それを確実に検出して警報を出力したり、ゲートを閉鎖するなどの対応をとることが可能になる。
【００２６】
上記のＲＦＩＤシステムの一実施態様では、移動ＲＦＩＤタグおよび固定ＲＦＩＤタグの少なくとも一方に、アンテナからのコマンドに対して応答する際の電波の反射強度を、当該反射強度の変更を求めるコマンドをアンテナから受信したことに応じて変更する機能が設けられる。
この実施態様によれば、アンテナと交信すべき場所に配備された移動タグ、アンテナと交信すべきでない場所に配備された移動タグ、および所定の場所に配置された固定タグのそれぞれに対する交信処理を行って、アンテナが各タグから受信する信号のレベルを計測し、これらの計測値に基づき電波の反射強度を調整することができる。
したがって、たとえばシステムを導入した際に上記の処理を実施すれば、固定タグからアンテナに届けられる信号のレベルを、アンテナと交信すべき場所に位置する移動タグから当該アンテナが受信する信号に埋もれるレベルであって、アンテナと交信すべきでない場所に位置する移動タグから当該アンテナが受信する信号を埋もれさせるレベルに設定することが可能になる。また、システムの導入後に各タグからの受信状態が変動した場合にも、上記の処理によって、アンテナが各タグから受信する信号のレベルの関係を良好な状態に戻すことが可能になる。
【発明の効果】
【００２７】
本発明によれば、複数の経路毎に、その経路の近傍にアンテナを設けると共に、当該アンテナからのコマンドを受信可能な場所に固定タグを配置し、この固定タグおよび移動タグからアンテナに届く信号のレベルの関係を調整することによって、交信すべきでない場所に位置する移動タグの情報が読み取られるのを防止し、読み出しの必要がある情報を確実に取得して、安定した認識処理を実施することができる。また、応答信号を受信する処理や受信した信号から読取情報を抽出する処理がきわめて簡単になるので、処理時間を短縮することができ、処理の高速化が要求される用途にも容易に対応することが可能になる。
【図面の簡単な説明】
【００２８】
【図１】第１形態のＲＦＩＤシステムの構成を示すブロック図である。
【図２】移動タグおよび固定タグに共通の回路構成を示すブロック図である。
【図３】第１形態のＲＦＩＤシステムの導入例を示す図、およびアンテナが各タグから受信する信号の特性を示すグラフである。
【図４】制御装置における処理手順を示すフローチャートである。
【図５】設定処理における処理手順を示すフローチャートである。
【図６】第１形態のＲＦＩＤシステムの他の導入例を示す図、およびアンテナが各タグから受信する信号の特性を示すグラフである。
【図７】固定タグの配置の他の例を示す図である。
【図８】第２形態のＲＦＩＤシステムの導入例を示す図である。
【図９】第２形態のＲＦＩＤシステムの構成を示すブロック図である。
【図１０】制御装置における処理手順を示すフローチャートである。
【図１１】一対の移動タグを用いてフォークリフトの前進、後退を認識する方法、およびこの方法が適用された場合のアンテナが各タグから受信する信号の特性を示すグラフである。
【図１２】車両の進行方向を認識することを目的とするＲＦＩＤシステムの構成および導入例、ならびにアンテナが各タグから受信する信号の特性を示すグラフである。
【図１３】入退出の管理を目的とする従来のＲＦＩＤシステムの導入例を示す図である。
【図１４】図１３のシステムの問題点を示す図である。
【発明を実施するための形態】
【００２９】
以下、本発明が適用されたＲＦＩＤシステムについて２つの実施形態をあげ、システムの導入例と共に説明する。
【００３０】
＜第１形態＞
第１形態のＲＦＩＤシステムは、一定の方向に進行する移動体を検出し、その移動体に対して所定の認識処理を実施する目的に使用される。具体的なシステムは、図１に示すように、２種類のＲＦＩＤタグ（移動タグＭおよび固定タグＴ）、リーダライタ２、制御装置１などにより構成される。
【００３１】
リーダライタ２には、アンテナＡおよび交信制御部２０が含まれる。なお、以下に示す導入例では、アンテナＡと交信制御部２０とが別体となるが、これに代えて両者が一体になったタイプのリーダライタを使用してもよい。
【００３２】
各ＲＦＩＤタグＭ，ＴとアンテナＡとは、ＵＨＦ帯域（８６０〜９６０ＭＨＺ程度）の電波を用いて相互に変調処理や復調処理を行うことにより、交信を実施する。移動タグＭ、固定タグＴは、いずれもパッシブタイプであるが、これに限らず、セミパッシブタイプのＲＦＩＤタグを用いてもよい。
移動タグＭは、移動体に取り付けられて、当該移動体と共に移動する。固定タグＴは、アンテナＡから適度な強度の電波を受信する場所に固定配備される。
【００３３】
制御装置１の実体は、専用のプログラムがインストールされたパーソナルコンピュータである。交信制御部２には、マイコンや送受信回路が組み込まれ、制御装置１からの指示に応じて、アンテナＡから読出コマンドを送信する処理と、この読出コマンドに対するタグＭ，Ｔからの応答信号を受信して当該信号に含まれる情報を復号する処理とを繰り返しながら、復号された情報を読取情報として制御装置１に送信する。制御装置１は、移動タグＭからの読取情報を取得すると、この情報を用いて移動体に対する認識処理を実行する。
【００３４】
図２は、上記の移動タグＭおよび固定タグＴに共通の回路構成を示すブロック図である。この図２に示すように、各タグＭ，Ｔには、交信用のアンテナ部３０、変復調回路３１、マイクロコンピュータによる処理部３２、メモリ３３などが含まれる。
アンテナ部３０は、リーダライタ２側のアンテナＡから搬送波およびコマンド信号を含む電波を受信する。変復調回路３１は、アンテナ部３０が受信した電波からコマンド信号を復号して処理部３２に出力すると共に、処理部３２から出力された応答信号に基づきバックスキャッタ方式で応答する。この応答信号はアンテナ部３０を介してアンテナＡへと伝えられる。
【００３５】
メモリ３３には、あらかじめ、当該メモリ３３が組み込まれるタグの種別情報（移動タグまたは固定タグであることを示すコード）が書き込まれるほか、コマンドへの応答のためにアンテナＡからの電波を反射させるときの反射強度を決めるための設定値（この例では、バックスキャッタの変調度を導き出すための利得の設定値）が格納されている。さらに移動タグＭのメモリには、対応する移動体に関する情報が書き込まれる。
【００３６】
図３（１）は、上記のＲＦＩＤシステムを生産現場に導入した例を示す。この実施例の移動体はベルトコンベア１０により搬送されるパレットＰであり、その一側面に移動タグＭが取り付けられる。リーダライタ２のアンテナＡは、パレットＰがコンベア１０上のあらかじめ定められた場所に到達したときに移動タグＭに対向する位置に配備される。アンテナＡにコンベア１０を挟んで対向する位置には、固定タグＴが取り付けられたスタンド１５が配備される。
【００３７】
図３（１）には示されていないが、パレットＰには部品が収納されている。移動タグＭには、対応する移動体（パレットＰ）に関する情報として、部品の種別コード、品番、数量、組み込まれる製品の型番、部品が搬送される現場の識別情報などが書き込まれる。
【００３８】
アンテナＡからは、制御装置１からの指令に基づき、情報の読出を指示するコマンド（以下「読出コマンド」という。）が繰り返し送出される。固定タグＴおよび移動タグＭはこの読出コマンドを受信すると、自回路のメモリ３３に格納されている情報を読み出し、読み出された情報を含む応答信号をアンテナＡに対して出力する。交信制御部２０は、アンテナＡが受信した応答信号に含まれる情報を復号し、読取情報として制御装置１に送信する。これを受信した制御装置１では、まず読取情報に含まれるタグの種別コードを抽出し、移動タグＭの種別コードを抽出した場合には、読取情報を詳細に分析する。そしてたとえば、部品の搬送先の識別情報がコンベア１０に適合しているか否かを判別し、適合しないと判断した場合には警報情報を出力する。また、部品の種別コードや数量などを認識し、その認識結果を生産ラインを統括するサーバなどに送信する。
【００３９】
この実施例のパレットＰは、合成樹脂や木質材など、電波を通過させる材料により形成される。このため、アンテナＡの正面にパレットＰが到達してアンテナＡと固定タグＴとの間の空間が遮蔽された場合でも、アンテナＡからの電波はパレットＰを通過して固定タグＴに届く。固定タグＴが反射した電波も同様に、パレットＰを通過して固定タグＴに届く。したがって、固定タグＴは、移動タグＭの位置に関わらず、アンテナＡからの読出コマンドに常に反応して応答信号を出力することができる。これらの点を考慮して、この実施例では、後記する設定処理によって、アンテナＡが各タグＴ，Ｍから受信する信号の間に図３（２）に示すような関係を成立させる。
【００４０】
図３（２）は、アンテナＡが毎回の読出コマンドに対して固定タグＴおよび移動タグＭから受信する応答信号のレベルの変化をグラフにより表したものである。
このグラフに示すように、固定タグＴからの信号の受信レベルはほぼ一定の値で安定するのに対し、移動タグＭからの信号の受信レベルは当該タグＭの移動に伴って山状に変動する。
【００４１】
具体的には、移動タグＭからの信号は、最初のうちは固定タグＴからの信号より小さく、また固定タグＴからの信号に対して所定値Ｄ以上のレベル差が生じる。移動タグＭから受信する信号は移動タグＭがアンテナＡに近づくにつれて高まり、固定タグＴからの信号を上回る状態になる。特に、移動体であるパレットＰがアンテナＡの正面を通過する間（図３（２）中の期間Ｕがこれに相当する）に移動タグＭから受信する信号は、固定タグＴから受信する信号に対し、Ｄ以上のレベル差をもって優勢になる。その後に移動タグＭから受信する信号は、当該移動タグＭがアンテナＡから遠ざかるにつれて下降し、再び、固定タグＴから受信する信号の方が強くなり、それぞれの受信レベルの間にＤ以上の差が生じる。
【００４２】
この実施例の移動タグＭおよび固定タグＴは、アンテナＡからの読出コマンドに対し、一定のタイミング、すなわち読出コマンドの受信後直ちに、または受信から予め定められた一定時間が経過したときに応答信号を出力する。このためアンテナＡからの読出コマンドが複数のタグに届いた場合には、これらのタグからの応答信号がほぼ同時にアンテナＡに届く可能性があるが、アンテナＡに生じる受信信号は各応答信号が重畳されたものとなるので、受信レベルの強い信号の波形が優勢になる。特に、ある応答信号とその他の応答信号との間の受信レベルの差がＤ以上になると（以下、このＤを「基準レベル差Ｄ」という。）、最もレベルの強い信号に他の信号が埋もれ、最もレベルの強い信号のみしか復号できない状態となる。よって、アンテナＡからの読出コマンドに対して複数のタグが応答した場合でも、そのうちの１つのタグからの信号を排他的に読み取らせることが可能になる。
【００４３】
図３（２）に示す期間Ｕには、移動タグＭはアンテナＡの正面付近に位置するが、このときの移動タグＭからの信号は固定タグＴからの信号に対して基準レベル差Ｄ以上の差をもって優勢になるので、固定タグＴからの信号は移動タグＭからの信号の中に埋もれてしまい、実質的に移動タグＭからの信号が読み取られる状態になる。したがって、この期間Ｕでは、移動タグＭの情報を確実に読み取ることができる。
【００４４】
一方、移動タグＭがアンテナＡの正面から一定の距離以上離れているときには、固定タグＴからの信号が移動タグＭからの信号に対して基準レベル差Ｄ以上の差をもって優勢になるので、移動タグＭからの信号は固定タグＴからの信号の中に埋もれてしまい、実質的に固定タグＭからの信号が読み取られる状態になる。したがって、アンテナＡと交信すべきでない場所に位置する移動タグＭに読出コマンドが届いた場合でも、その移動タグＭの情報ではなく、固定タグＴの情報が読み取られるので、誤った読取処理が実施されるのを防ぐことができる。
【００４５】
なお、図３（２）のグラフによれば、期間Ｕの前後の期間ＵＸ，ＵＹにおいては、移動タグＭからの信号と固定タグＴからの信号との間のレベル差が基準レベル差Ｄより小さくなる。したがって、これらの期間ＵＸ，ＵＹでは、いずれのタグからの情報が読み取られるかが定かでなく、双方の応答信号が混信して読取エラーが生じる可能性もある。しかし、この実施例の移動タグＭからの信号の変化曲線は、頂上部分の幅が比較的長く、立ち上がり部分および立ち下がり部分の変化が急峻であるので、受信が不安定な期間ＵＸ，ＵＹを短くすることができる。また、期間Ｕの長さが十分に確保されているので、移動タグＭの情報を読み取るのに特段の支障が生じることはない。
【００４６】
図４は、図１に示した制御装置１により実施される処理の手順を示す。
このフローチャートに示すように、制御装置１は、ステップＳ１〜Ｓ６のループを繰り返し実行する。ステップＳ１では、リーダライタ２に読出コマンドを渡して送信を行わせる。ステップＳ２では、読出コマンドに対する応答信号を受信したリーダライタ２から、この応答信号を復号して得た読取情報を受信する。ステップＳ３では、読取情報中の識別情報を抽出し、対応するタグの種別を認識する。
【００４７】
上記の識別情報が移動タグＭを示すものであれば（ステップＳ４が「ＹＥＳ」）、読取情報の内容を分析して、前述した認識処理を実行し（ステップＳ５）、その結果を出力する（ステップＳ６）。これにより１サイクル分の処理が終了するとステップＳ１に戻り、次の読出コマンドの送信処理が実施される。
一方、読取情報から抽出した識別情報が固定タグＴを示すものであった場合（ステップＳ４が「ＮＯ」）には、ステップＳ５，Ｓ６をスキップしてステップＳ１に戻る。
【００４８】
上記の処理によれば、移動タグＭがアンテナＡの正面から一定の距離以上離れている間は固定タグＴからの情報が読み取られて、ステップＳ４が「ＮＯ」となる状態が続き、移動タグＭがアンテナＡの正面付近に到達して、固定タグＴからの応答信号に対して基準レベル差Ｄ以上の差を有する応答信号を送信したときに、この応答信号による情報が読み取られてステップＳ５およびＳ６が実施される。このように、移動タグＭがアンテナＡの正面付近に存在する期間に限定して移動タグＭの情報を読み取ることにより、コンベア１０上を移動する移動タグＭの１つ１つと安定して交信を実施することができる。よって確度の高い認識処理を実施することができる。
【００４９】
また、図４には明示されていないが、上記のステップＳ２に関するアルゴリズムは、読出コマンドの送信から一定の待ち時間が経過するまで読取情報の受信に待機するように設定されている。しかし、この実施例では、移動タグＭからの応答信号を受信できない場合でも固定タグＴからの応答信号を受信することができるので、タイムアップ前にステップＳ２を終了することができる。よって、ステップＳ１〜Ｓ４またはステップＳ１〜Ｓ６のループの処理時間を短縮することができ、これをもって読出コマンドを送信する時間間隔を短縮することができる。よって、移動タグＭが高速で移動する場合にも、支障なく情報を読み取ることができる。
【００５０】
次に、アンテナＡが各タグＭ，Ｔから受信する信号の間に図３（２）のグラフに示した関係を成立させるために実施される設定処理について説明する。
この実施例では、図４の処理を実施するのに先立ち、移動タグＭおよび固定タグＴを順にリーダライタ２と交信させて、アンテナＡが各タグＭ，Ｔから得る信号のレベルを計測する。そしてこれらの計測結果に応じて、固定タグＴのメモリ３３内の利得の設定値を書き換えることにより、固定タグＴにおける電波の反射強度を調整する。
【００５１】
図５は、上記の設定処理の手順を示す。なお、この手順において、二重枠で示すステップＳ１１，Ｓ１５，Ｓ１９は、現場のユーザにより実施されるもので、その他のステップは制御装置１により実施される。ただし、タグとの交信はリーダライタ２を介して実施される。
【００５２】
以下、適宜、図５に示されていない処理を補足しながら、設定処理の内容を説明する。
この処理は、固定タグＴが設置されていない状態で開始される。まずユーザは、移動タグＭ（正確には移動タグＭが取り付けられたパレットＰである。以下も同じ。）を、アンテナＡと交信させるべき場所（アンテナＡの正面付近）に配置する（ステップＳ１１）。そして、制御装置１に対し、演算の開始を指示するコマンドを入力する。
【００５３】
上記のコマンドを受けた制御装置１は、リーダライタ２に、移動タグＭとの交信をｎ回（ｎ≧１）実行し、交信毎に移動タグＭから受信した信号のレベルを計測する（ステップＳ１２）。具体的には、リーダライタ２にテスト用のコマンドを送信する処理、このコマンドに対する応答信号を受信する処理、および受信した応答信号のレベルを計測する処理を、ｎサイクル実行させ、毎回の計測値を取得する。
続いて制御装置１は、これらの計測値の平均値ＳＭ１を算出し（ステップＳ１３）、得られた平均値ＳＭ１から基準レベル差Ｄおよびあらかじめ定めたマージン値ｋを差し引く演算を実施する（ステップＳ１４）。この演算により得られた値Ｒ１は、第１の基準値として制御装置１の内部メモリに保存される。
【００５４】
ステップＳ１４までの処理が終了すると、制御装置１は、図示しないモニタに第１段階の処理が終了した旨を報知するメッセージを表示する。この表示を確認したユーザは、移動タグＭの配置を、アンテナＡと交信すべきでない場所に変更する（ステップＳ１５）。変更後の場所としては、アンテナＡと交信しても良い場所との境界に近い場所を選択するのが望ましい。
移動タグＭの配置の変更作業を終えたユーザは、制御装置１に演算の開始を指示するコマンドを入力する。この入力に応じて、制御装置１は、ステップＳ１２と同様の処理により、移動タグＭとの交信をｎ回行って、交信毎に移動タグＭから受信した信号のレベルを計測する（ステップＳ１６）。そして、これらｎ回分の受信レベルの平均値ＳＭ２を算出し（ステップＳ１７）、さらに、平均値ＳＭ２に基準レベル差Ｄおよびマージン値ｋを加える演算を実施する（ステップＳ１８）。この演算により得られた値Ｒ２は、第２の基準値として制御装置１の内部メモリに保存される。
【００５５】
ステップＳ１８までの処理が終了すると、制御装置１は、モニタに第２段階の処理が終了した旨を報知するメッセージを表示する。この表示を確認したユーザは、移動タグＭをアンテナＡからの電波が届かない場所に移すと共に、コンベア１０を挟んでアンテナＡに対向する場所に固定タグＴを設置する（ステップＳ１９）。そして、制御装置１に対し固定タグＴに対する設定処理の開始を指示するコマンドを入力する。
【００５６】
上記のコマンドを受けた制御装置１は、ステップＳ１２およびステップＳ１６と同様の処理により、固定タグＴとの交信をｎ回行って、交信毎に固定タグＴから受信した信号のレベルを計測する（ステップＳ２０）。そして、各計測値の平均値ＳＴを求めて（ステップＳ２１）、このＳＴの値を、各基準値Ｒ１，Ｒ２と比較する。
【００５７】
上記の平均値ＳＴが第２の基準値Ｒ２より大きく、第１の基準値Ｒ１より小さい場合（ステップＳ２２が「ＹＥＳ」）には、各タグＭ，Ｔからの受信レベルは図３（２）に示した関係を満たしているとみなして処理を終了する。
【００５８】
一方、平均値ＳＴが第２の基準値Ｒ２以下、または第１の基準値Ｒ１以上となった場合（ステップＳ２２が「ＮＯ」）には、制御装置１は、リーダライタ２を介して固定タグＴに利得の設定値の変更を求めるコマンドを送信する（ステップＳ２３）。具体的には、平均値ＳＴがＲ２以下であれば、利得の設定値を上げることを指示するコマンドを送信し、平均値ＳＴがＲ１以上であれば、利得の設定値を下げることを指示するコマンドを送信する。
上記のコマンドを受けた固定タグＴは、そのコマンドの内容に応じて自己のメモリ３３内の利得の設定値を変更し、変更が完了した旨を示す応答信号を返送する。制御装置１は、リーダライタ２を介してこの応答信号を受けると、再度、ステップＳ２０〜Ｓ２２を実行する。この際のステップＳ２０では、固定タグＴから変更後の設定値に基づく強度の信号を受信することになる。以下同様にして、固定タグＴから受信する信号のレベルの平均値ＳＴが基準値Ｒ１とＲ２の間に入るまで、ステップＳ２０〜２３のループを繰り返し、しかる後に処理を終了する。
【００５９】
図５に示した設定処理によれば、システムの導入時などに、固定タグＴを、アンテナＡと交信すべき場所に位置する移動タグＭからアンテナＡが受信する信号に埋もれるレベルであって、アンテナＡと交信すべきでない場所に位置する移動タグＭからアンテナＡが受信する信号を埋もれさせるレベルの信号を受信できる状態にして、設置することができる。また、システムの導入後に、環境の変化などにより各タグＭ，Ｔからの受信状態が変動して、各タグＭ，Ｔから受信する信号の間に図３（２）に示す関係が成立しなくなった場合にも、再度、上記の設定処理を実行することによって、各信号のレベルの関係を適切な状態に戻すことができる。
【００６０】
なお、設定処理は図５に示したものに限らず、固定タグＴから受信する信号のレベルに基づいて、移動タグＭの利得の設定値を調整してもよい。
また、上記の例では、固定タグＴの処理部３２において利得の設定値に基づいて変調度を決定しているが、これに限らず、平均値ＳＴの値に基づいて制御装置１が変調度の調整値を求め、この調整値を含むコマンドを固定タグＴに送信するようにしてもよい。
また、上記の例ではバックスキャッタの変調度を変更することによって電波の反射強度を調整したが、調整方法はこれに限定されるものではない。たとえば、固定タグＴのアンテナ部３０と変調回路３１との間に可変減衰器を設け、その減衰量を調整してもよい。または、アンテナ部３０の回路に可変コンデンサを組み込み、この可変コンデンサの容量を利得の設定値の変更に合わせて変更するようにしてもよい。
【００６１】
図６（１）は、第１形態のＲＦＩＤシステムの他の導入例を示す。
この実施例でも、コンベア１０により搬送されるパレットＰに取り付けられた移動タグＭから情報を読み取るが、パレットＰの間の間隔が図３（１）の例より狭いため、アンテナＡからの読出コマンドに対し、コンベア１０上の複数の移動タグＭＡ，ＭＢが応答する可能性がある。また、コンベア１０の隣に別のコンベア１１が設置されており、この隣のコンベア１１上に位置する移動タグＭｏｕｔにもアンテナＡからの読出コマンドが届き、応答信号が返送される可能性がある。この点に鑑み、この実施例では、図５と同様の設定処理により固定タグＴにおける電波の反射強度を調整すると共に、移動タグＭＡ，ＭＢの間隔を調整することにより、アンテナＡが各タグから受信する信号の間に図６（２）に示すような関係を成立させる。
【００６２】
図６（２）によれば、この実施例でも、固定タグＴから受信する信号は、ほぼ一定のレベルで維持される。
コンベア１０上の各移動タグＭＡ，ＭＢから受信する信号は、それぞれ図３（１）の移動タグＭと同様に、移動タグＭＡ，ＭＢがアンテナＡの正面付近に位置する間に、固定タグＴからの信号を埋もれさせるレベルとなり、移動タグＭＡ，ＭＢがアンテナＡの正面から一定の距離以上離れている場合には、固定タグＴからの信号内に埋もれるレベルとなる。またグラフ中の期間ＵＺを除き、いずれか一方の移動タグからの信号が基準レベル差Ｄ以上の差をもって固定タグＴからの信号より優勢になっているときは、他方の移動タグからの信号は固定タグＴからの信号を下回る状態となる。よって、各移動タグＭＡ，ＭＢのいずれもおいても、その応答信号をアンテナＡに排他的に読み取らせることが可能な期間を十分な長さで確保することができる。
【００６３】
隣のコンベア１１の移動タグＭｏｕｔは、他のタグＭＡ，ＭＢ，Ｍｏｕｔよりもアンテナから離れた場所に位置するため、この移動タグＭｏｕｔから受信する信号は、常に固定タグＴから受信する信号より弱く、また固定タグＴからの信号に対するレベル差は基準レベル差Ｄ以上となる。このため、隣のコンベア１１の移動タグＭｏｕｔがアンテナＡからの読出コマンドに応答しても、その応答信号は、固定タグＴからの応答信号またはこれより優勢になった移動タグＭＡ，ＭＢからの応答信号の中に埋もれて復号できない状態となる。よって、移動タグＴｏｕｔの情報がコンベア１０により搬送中のパレットＰに関する情報として読み取られるのを防止することができる。
【００６４】
また、図６（１）では図示を省略しているが、コンベア１１にも、コンベア１０と同様に、アンテナや固定タグが配置されており、コンベア１１の固定タグにコンベア１０のアンテナＡからの読出コマンドが届く可能性がある。しかし、コンベア１１の固定タグからコンベア１０のアンテナＡが受信する信号のレベルは、上記の移動タグＭｏｕｔからの信号と同様の低いレベルになるので、コンベア１１の固定タグの情報がコンベア１０の固定タグＴの情報として誤認識されることはない。
【００６５】
なお、図３や図６の例では、固定タグＴを、コンベア１０を挟んでアンテナＡに対向する場所に配置しているが、移動タグＭからの信号に対し、図３（２）や図６（２）のグラフに示したのと同様の関係を成立させることができるのであれば、固定タグＴの設置場所を限定する必要はない。たとえば、図７に示すように、固定タグＴが取り付けられたスタンド１５を、アンテナＡとコンベア１０との間に配備してもよい。また、固定タグＴを、リーダライタ２のアンテナＡや交信制御部２０に一体に設けることも可能である。
【００６６】
また、コンベア１０より外の空間のタグから復号が可能なレベルの信号がアンテナＡに届く可能性がない場合には、固定タグＴを配置せずに、移動タグＭの送信レベルや間隔を調整することで対応してもよい。たとえば、図６の例のように、コンベア１０上を移動する移動タグ毎に、読出コマンドに対する当該移動タグからの応答信号をアンテナＡに排他的に読み取らせることができる期間を十分な長さで確保することができれば、固定タグＴを設けなくとも、個々の移動タグに対する読取処理を安定して実施することが可能になる。
【００６７】
＜第２形態＞
第２形態のシステムは、入退出を管理するためのものである。システムの導入例を図８に示す。
この実施例では、フォークリフトＢにより貨物コンテナに貨物を積み込む際に、貨物の誤配送を防止することを目的とする。現場には、配送先がそれぞれ異なる複数の貨物コンテナ（図示せず。）に対する搬入用の経路Ｒ１，Ｒ２，Ｒ３，・・・Ｒｎが近接して並設されている。
【００６８】
各経路Ｒ１〜Ｒｎには、それぞれ一側方にリーダライタのアンテナＡ１〜Ａｎが配備され、経路Ｒ１〜Ｒｎを挟んでアンテナＡ１〜Ａｎに対向する場所に固定タグＴ１〜Ｔｎが配備される。
【００６９】
各経路Ａ１〜Ａｎの後端位置（ゲートの手前位置）には、一対の表示灯９ａ〜９ｎ，１０ａ〜１０ｎが経路Ｒ１〜Ｒｎの両側に分けて配備される。フォークリフトＢの進行方向に対して左手に配置される表示灯９ａ，９ｂ，９ｃ・・・９ｎは通過を許可することを示す青色光を発光し、右手に配置される表示灯１０ａ，１０ｂ，１０ｃ，・・・１０ｎは通過を許可しないことを示す赤色光を発光する。
【００７０】
フォークリフトＢには、経路Ｒ１〜Ｒｎに入ったときにアンテナＡ１〜Ａｎに対向する関係になる箇所に、移動タグＭが取り付けられる。各タグＭ，Ｔ１〜ＴｎとアンテナＡ１〜Ａｎとは、ＵＨＦ帯域の電波を用いて相互に変調処理や復調処理を行うことにより、交信を実施する。また、各タグＭ，Ｔ１〜ＴｎはいずれもパッシブタイプのＲＦＩＤタグであるが、セミパッシブタイプのＲＦＩＤタグを使用することも可能である。
【００７１】
移動タグＭには、あらかじめ、移動タグであることを示す種別コードのほか、対応する移動体に関する情報として、フォークリフトＢを通過させるべき経路の識別番号、配送品の品番、顧客コード、顧客の工場コード、およびその他の必要な情報が書き込まれる。固定タグＴ１〜Ｔｎには、固定タグであることを示す種別コードや対応する経路のコードが書き込まれる。
【００７２】
図９は、上記の実施例におけるシステム構成（ただし、タグＴ１〜Ｔｎ，Ｍは図示せず。）を示すブロック図である。
この実施例のＲＦＩＤシステムで用いられるリーダライタ２００は、各経路Ｒ１〜ＲｎのアンテナＡ１〜Ａｎと、これらのアンテナＡ１〜Ａｎに共通の交信制御部２０１とにより構成される。制御装置１００には、主制御基板１０１や光源制御基板１０２が組み込まれる。主制御基板１０１には、ＣＰＵ１０３、メモリ１０４、および後記する計時処理のためのタイマ１０５などが含まれる。
【００７３】
リーダライタ２００の交信制御部２０１は、ＲＳ２３２Ｃ等のインターフェースを介して主制御基板１０１に接続される。このほか、主制御基板１０１には、キーボード１０６、マウス１０７、ディスプレー１０８などの周辺機器や光源制御基板１０２が接続される。光源制御基板１０２には、前出の表示灯９ａ〜９ｎ，１０ａ〜１０ｎが接続される。
【００７４】
主制御基板１０１のメモリ１０４には、演算に用いるプログラムが格納されると共に、各アンテナＡ１〜Ａｎが受信した応答信号から復号された読取情報が一時保存される記憶エリア、ソフトタイマを構成するレジスタ領域、移動タグから読み取られた情報を保存するためのデータベース、処理の履歴データ（ログデータ）が保存される記憶エリアなどが設けられる。さらに、メモリ１０４には、各経路Ｒ１〜Ｒｎ毎に、通過を許容する配送品の品番、対応するコンテナの顧客コードや工場コードなどの情報が登録される。
【００７５】
上記の構成において、主制御基板１０１のＣＰＵ１０３は、リーダライタ２００の交信制御部２０１に対し、各アンテナＡ１〜Ａｎを順に作動させて、読出コマンドの送信および応答信号の受信を実施させると共に、交信制御部２０１が応答信号から復号した読取情報を取得する。さらに、ＣＰＵ１０３は、取得した読取情報の種別を判別し、移動タグＭの読取情報であると判別すると、その読取情報を当該情報を受信したアンテナに対応する登録情報と照合することによって、読取情報の適否を判別する。
【００７６】
図８の導入例によれば、各経路Ｒ１〜ＲｎのアンテナＡ１〜Ａｎから出力された読出コマンドは、対応する経路の固定タグＴ１〜Ｔｎや移動タグＭに届くほか、他の経路の固定タグや移動タグにも届く可能性がある。そこで、この実施例では、第１形態のシステムと同様の原理に基づき、各経路Ｒｉ（ｉ＝１〜ｎ）のアンテナＡｉの正面付近に移動タグＭが位置するときは、固定タグＴｉおよび経路Ｒｉの外に位置する各種タグからの信号が移動タグＭからアンテナＡｉに送信される信号の中に埋もれて復号できない状態となり、経路Ｒｉに移動タグＭが含まれていないときは、固定タグＴｉからアンテナＡｉに送信される信号のレベルが最も高く、かつ固定タグＴｉ以外のタグからの信号は固定タグＴｉからの信号の中に埋もれて復号できない状態になるように、各タグの電波の反射強度を設定する。この設定により、いずれのアンテナＡ１〜Ａｎでも、そのアンテナＡ１〜Ａｎと交信すべき場所に位置する移動タグＭからの応答信号を確実に受信すると共に、他の経路に位置する移動タグＭなど、交信すべきでない場所に位置するタグからの応答信号の読取を防止することができる。
【００７７】
以下、図１０のフローチャートを用いて、第２形態のＲＦＩＤシステムの制御装置１００により実施される処理を説明する。
まず最初のステップＳ１０１では、処理対象の経路を特定するためのカウンタｉに初期値の「１」をセットする。つぎのステップＳ１０２では、アンテナＡｉ（初期状態ではアンテナＡ１）に読出コマンドを送信させる。
【００７８】
この実施例の固定タグＴ１〜Ｔｎや移動タグＢは、読出コマンドを受信すると、一定のタイミングで応答信号を返送する。制御装置１００のＣＰＵ１０３は、読出コマンドの送信に応じてタイマ１０５に計時を開始させ、計時時間があらかじめ定めた上限値（応答信号の返送に要する時間より所定時間長くなるように設定される。）に達するまで読取情報の送信に待機する（ステップＳ１０３，Ｓ１０４）。
【００７９】
上記の待ち時間の間に、アンテナＡｉが読出コマンドに対する応答信号を受信し、交信制御部２０１が読取情報を復号して制御装置１００に送信すると、ステップＳ１０３が「ＹＥＳ」となる。これを受けてＣＰＵ１０３は、受信した読取情報のデータ構成に基づき、当該情報に対応するタグの種類を判別する（ステップＳ１０５）。
【００８０】
読取情報に固定タグの種別コードおよび経路Ｒｉのコードが含まれている場合には、ＣＰＵ１０３は、当該読取情報は固定タグＴｉの情報であると判断する。この場合には、ステップＳ１０５が「ＮＯ」となるので、カウンタｉを更新して（ステップＳ１１１，Ｓ１１２）、ステップＳ１０２に戻る。なお、カウンタｉがｎに達している場合には、ステップＳ１１１からステップＳ１０１に戻ってｉを初期値の「１」に戻し、しかる後にステップＳ１０２に進む。
【００８１】
読取情報に移動タグの種別コードが含まれている場合には、ステップＳ１０５が「ＹＥＳ」となってステップＳ１０６に進む。ステップ１０６では、読取情報から各種データを切り分けて抽出し、データ破損の有無等の精査を実行した後に、一時データとしてメモリ１０４に保存する。さらに次のステップＳ１０７において、一時保存されたデータを、経路Ｒｉに関する登録データと照合する。
【００８２】
上記の照合によりデータが一致した場合（ステップＳ１０８が「ＹＥＳ」）には、ステップＳ１０９の正常時処理に進む。この正常時の処理には、経路Ｒｉの青色の表示灯を作動させるための制御指令信号を光源制御基板１０２に送出する処理、読取情報から抽出した各種データをデータベースに保存する処理、これらの処理を実施したことをログデータに書き込む処理などが含まれる。
【００８３】
一方、照合処理により２種類のデータに不一致が認められた場合には、ステップＳ１０８は「ＮＯ」となり、ステップＳ１１０の異常時の処理へと進む。この異常時の処理には、経路Ｒｉの赤色の表示灯を作動させるための制御指令信号を光源制御基板１０２に送出する処理、ディスプレー１０８に異常の発生を表示する処理、読取情報から抽出した各種データをデータベースに保存する処理、これらの処理を実施したことをログデータに書き込む処理などが含まれる。
【００８４】
なお、何らかの原因でアンテナＡｉと固定タグＴｉとの間の電波の伝搬が妨げられた場合には、読出コマンドの送信（ステップＳ１０２）からの待ち時間が上限値に達しても読取情報を取得することができない状態となる。この場合にはステップＳ１０４が「ＹＥＳ」となってステップＳ１１０に進み、異常時の処理を実施する。また、図１０には示していないが、経路Ｒｉの固定タグＴｉが故障したために他の固定タグの情報が読み取られた場合には、その読取情報に含まれる経路の識別情報がカウンタｉと整合しない状態となる。このような不整合が生じた場合には、ステップＳ１１０とは異なる態様の異常処理を実施する。
【００８５】
上記のとおり、この実施例では、各経路Ｒ１〜ＲｎのアンテナＡ１〜Ａｎから順に読出コマンドを送出して、各アンテナＡ１〜Ａｎが受信した応答信号から復号された読取情報を取得し、この読取情報が移動タグの情報であったときに当該情報を得たアンテナに対応する経路に適合する情報であるか否かを認識し、その認識結果を表示灯９ａ〜９ｎ，１０ａ〜１０ｎなどを用いてユーザに報知する。前述したように、いずれのアンテナＡｉでも、対応する経路Ｒｉに入ったフォークリフトＢに取り付けられた移動タグＭがアンテナＡｉの正面付近に位置するときに、当該移動タグＭからの応答信号を排他的に読み取らせる一方で、アンテナＡｉから一定の距離以上離れた場所にある移動タグＭからの応答信号が読み取られることはないので、制御装置１００では、フォークリフトＢが進入した経路を正確に認識し、その進入位置の適否を正しく判別することができる。
【００８６】
また、この実施例では、各経路Ｒ１〜Ｒｎに対する処理を１つずつ順に実施するが、作動中のアンテナＡｉとこれに対向する固定タグＴｉとの間で電波が遮蔽される状態にならない限り、固定タグＴｉを読出コマンドに反応させることができる。したがって、アンテナＡｉに対応する経路Ｒｉに移動タグＢが含まれていない場合でも、読出コマンドの送信に対して速やかに固定タグＴｉからの応答信号を得ることができ、各経路Ｒ１〜Ｒｎに対する処理が一巡するまでの時間を短縮することができる。また、経路Ｒ１〜Ｒｎ毎にリーダライタを設けるよりも、コストを削減することができる。
ただし、上記の構成に代えて、経路Ｒ１〜ＲｎのアンテナＡ１〜Ａｎ毎に交信制御部を組み合わせ、各経路Ｒ１〜Ｒｎに対する処理を並列で実施してもよい。
【００８７】
つぎに、第２形態のＲＦＩＤシステムでも、図６の例と同様に、同一の経路に位置する複数の移動タグに対する読取処理を、各移動タグの移動の順序に従って実施することができる。図１１（１）は、この原理を応用した例であって、フォークリフトＢの一側面に、一対の移動タグＭＦＷ，ＭＢＫを所定の間隔をあけて前後に並べて取り付けている。制御装置１００では、これらの移動タグＭＦＷ，ＭＢＫから情報を読み取った順序に基づきフォークリフトＢが前進したか、後退したかを認識する。この認識の確度を得るために、この実施例では、アンテナＡｉが各タグから受信する信号に図１１（２）に示すような関係を成立させる。
【００８８】
図１１（２）は、上記のフォークリフトＢが経路Ｒｉを前進する場合にアンテナＡｉが各タグから受信する信号のレベルの変化を、グラフにしたものである。この例でも、固定タグＴｉから受信する信号のレベルはほぼ一定に維持される。各移動タグＭＦＷ，ＭＢＫのうち、先にアンテナＡｉの正面に到達する移動タグＭＦＷからの信号がまず受信される状態となり、次に移動タグＭＢＫからの信号が受信される状態となる。また、移動タグＭＦＷ，ＭＢＫのいずれにおいても、固定タグＴｉおよび他方の移動タグからの信号に対し、基準レベル差Ｄ以上のレベル差をもって優勢になる期間が相当の長さで確保される。
【００８９】
なお、図１１（１）には、経路Ｒｉの横手に停車するフォークリフトＢが示され、図１１（２）には、このフォークリフトＢに取り付けられている移動タグＭＦＷ１，ＭＢＫ１からアンテナＡｉが受信した信号のレベルの変化が示されている。これらの信号は、いずれも、常に固定タグＴｉからの信号より弱く、かつ固定タグＴｉからの信号に対し、基準レベル差Ｄ以上のレベル差を有する。したがって、これらの移動タグＭＦＷ１，ＭＢＫ１からの信号は、経路Ｒｉでの移動タグの有無に関わらず、固定タグＴｉからの信号の中に埋もれて復号できない状態となる。よって、アンテナＡｉが受信した信号から移動タグＭＦＷ１，ＭＢＫ１の情報が読み取られることはない。
【００９０】
上記の各信号の関係も、図５に準じた設定処理や移動タグＭＦＷ，ＭＢＫの間隔を調整することによって実現したものである。この調整により、経路Ａｉに入った移動タグＭＦＷ，ＭＢＫは、いずれもアンテナＡｉと交信すべき場所（アンテナの正面）に来たときにその情報が読み取られるので、各移動タグＭＦＷ，ＭＢＫに対する読取処理を正しい順序で実施して、フォークリフトＢの進行方向を正確に認識することが可能になる。
【００９１】
なお、第１形態および第２形態のシステムに関するいずれの導入例でも、移動タグに対して読取処理のみを実施するものとしたが、これに限らず、読出コマンドにより移動タグが特定された後に、この移動タグを交信対象に指定した書込コマンドを送信し、当該移動タグに新たな情報を書き込むことも可能である。
【００９２】
つぎに、図１１の例では、移動体（フォークリフトＢ）に取り付けられた一対の移動タグＭＦＷ，ＭＢＫに対する読取処理によって、移動体の前進および後退を認識するようにしたが、前進する車両を対象に、その進行方向を認識するようなシステムを構築することも可能である。その一例を図１２に示す。
【００９３】
図１２の実施例では、車両Ｃの車体にリーダライタ２１０のアンテナ２１１を取り付けると共に、一対の固定タグＴＤＮ，ＴＵＰを、車両Ｃの走行路ＲＤの長さ方向に沿って配置する（各タグＴＤＮ，ＴＵＰは、たとえば走行路ＲＤの路面の下に埋め込まれる。）。また、車両Ｃの内部には、リーダライタ２１０の交信制御部２１２および制御装置１１０が設けられる。
【００９４】
図中の矢印Ｆは、車両Ｃの上り方向を示す。以下、一対の固定タグＴＵＰ，ＴＤＮのうち、上り側に位置するタグＴＵＰを「上りタグＴＵＰ」と呼び、下り側に位置するタグＴＤＮを「下りタグＴＤＮ」と呼ぶ。各タグＴＵＰ，ＴＤＮのメモリには、それぞれ自己の種別を示す種別情報などが保存される。
【００９５】
制御装置１１０は、車両Ｃの走行に伴い、リーダライタ２１０に読出コマンドの送信および応答信号の受信を繰り返し実施させると共に、応答信号より復号された読取情報を入力し、その種別情報によりいずれのタグの情報であるかを判別する。そして、上りタグＴＵＰの情報を取得してから下りタグＴＤＮの情報を取得した場合には、車両Ｃは下り方向に沿って移動していると認識し、下りタグＴＤＮの情報を取得してから上りタグＴＵＰの情報を取得した場合には、車両Ｃは上り方向に沿って移動していると認識する。
【００９６】
上記の認識の精度を確保するために、この実施例では、アンテナ２１１が各タグＴＵＰ，ＴＤＮから受信する信号に図１２（２）に示す関係が成立するように、各タグＴＵＰ，ＴＤＮにおける電波の反射強度やタグ間の間隔を調整する。たとえば、まず各タグＴＵＰ，ＴＤＮの場所を定めて、各タグＴＵＰ，ＴＤＮを１つずつ順に定められた場所に仮配置すると共に、アンテナ２１０が仮配置されたタグと交信すべき場所にあるときの受信レベルと、アンテナ２１０が他方のタグと交信すべき場所にあるときの受信レベルとを計測する。そして、各計測値に基づき、各タグＴＵＰ，ＴＤＮにおける電波の反射強度を調整する。
なお、図１２（２）のグラフ中のＰ０は応答信号から情報を復号するのに要求される最小の受信レベルに相当する。
【００９７】
図１２（２）の例では、アンテナ２１１からの読出コマンドに対し、まず下りタグＴＤＮからの応答信号を受信する状態になり、ついで上りタグＴＵＰからの応答信号を受信する状態になる。各タグＴＤＮ，ＴＵＰからの信号の受信レベルはそれぞれ山状に変化し、図中の期間ＵＶを除いて、いずれか一方の信号が他方の信号に対し、基準レベル差Ｄ以上の差をもって優勢な状態になる。
【００９８】
上記の信号変化の関係によれば、いずれのタグＴＵＰ，ＴＤＮも、他方のタグからの信号を埋もれさせるレベルの信号をアンテナ２１１に送信することができる期間が十分な長さで確保されているから、各タグＴＵＰ，ＴＤＮに対する読取処理を順序を誤らずに実施することができる。よって、車両Ｃの走行方向を正しく認識することができる。
【００９９】
なお、走行路ＲＤには、３個以上の固定タグを配置することもできる。固定タグの数を増やす場合にも、上記の例と同様に、タグ毎に、他のタグからの信号を埋もれさせるレベルの信号をアンテナに送信することができる期間が十分な長さで確保されるように、各タグにおける電波の反射強度やタグ間の間隔を設定する。
【符号の説明】
【０１００】
Ｍ，ＭＡ，ＭＢ，ＭＦＷ，ＭＤＮ，Ｍ１〜Ｍｎ  移動タグ
Ｔ，Ｔ１〜Ｔｎ  固定タグ
Ａ，Ａ１〜Ａｎ  アンテナ
Ｐ，Ｂ，Ｃ  移動体
１，１００  制御装置
２，２００  リーダライタ
【図１】
0005263263.tif 000002
【図２】
0005263263.tif 000003
【図３】
0005263263.tif 000004
【図４】
0005263263.tif 000005
【図５】
0005263263.tif 000006
【図６】
0005263263.tif 000007
【図７】
0005263263.tif 000008
【図８】
0005263263.tif 000009
【図９】
0005263263.tif 000010
【図１０】
0005263263.tif 000011
【図１１】
0005263263.tif 000012
【図１２】
0005263263.tif 000013
【図１３】
0005263263.tif 000014
【図１４】
0005263263.tif 000015